(57)【要約】【課題】この発明は、小型化を損なうことなく、低い周波数においても高い受信性能を維持することが可能な放送受信装置を提供することを目的としている。【解決手段】筐体１２と；筐体１２内にループ状に配置される第１のアンテナエレメント１６ａと、筐体１２内で、電流の流れる向きが第１のアンテナエレメント１６ａと同じになるように、第１のアンテナエレメント１６ａに並設される第２のアンテナエレメント１６ｂとから構成されるダイポールアンテナ１６と；ダイポールアンテナ１６で受信された放送信号が供給される受信回路１７とを備える。【選択図】    図１
2005347882.tif 000002
【特許請求の範囲】
【請求項１】
筐体と、
前記筐体内にループ状に配置される第１のアンテナエレメントと、前記筐体内で、電流の流れる向きが前記第１のアンテナエレメントと同じになるように、前記第１のアンテナエレメントに並設される第２のアンテナエレメントとから構成されるダイポールアンテナと、
前記ダイポールアンテナで受信された放送信号が供給される受信回路とを具備したことを特徴とする放送受信装置。
【請求項２】
前記筐体には、表示部と操作部と音声出力用端子とが設置されることを特徴とする請求項１記載の放送受信装置。
【請求項３】
可動可能に連結された第１及び第２の筐体と、
前記第１の筐体内にループ状に配置される第１のアンテナエレメントと、前記第１の筐体内で、電流の流れる向きが前記第１のアンテナエレメントと同じになるように、前記第１のアンテナエレメントに並設される第２のアンテナエレメントとから構成されるダイポールアンテナと、
前記ダイポールアンテナで受信された放送信号が供給される受信回路とを具備したことを特徴とする放送受信装置。
【請求項４】
互いに重なり合う折り畳み位置をとり得るように可動可能に連結された第１及び第２の筐体と、
前記第１の筐体内にループ状に配置される第１のアンテナエレメントと、前記第２の筐体内に配置され、前記折り畳み位置で、電流の流れる向きが前記第１のアンテナエレメントと同じになるように、前記第１のアンテナエレメントに並設される第２のアンテナエレメントとから構成されるダイポールアンテナと、
前記ダイポールアンテナで受信された放送信号が供給される受信回路とを具備したことを特徴とする放送受信装置。
【請求項５】
前記第１及び第２の筐体の一方に表示部が設置され、他方に操作部が設置されることを特徴とする請求項３または４記載の放送受信装置。
【請求項６】
前記第１及び第２の筐体は、複数の軸を中心としてそれぞれ回動可能に支持されることを特徴とする請求項４記載の放送受信装置。
【請求項７】
前記ダイポールアンテナを構成する第１及び第２のアンテナエレメントの長さを短縮するための整合手段を具備したことを特徴とする請求項１乃至６いずれかに記載の放送受信装置。
【請求項８】
前記第１のアンテナエレメントと前記第２のアンテナエレメントとのなす開角を検出する角度検出手段と、
前記角度検出手段の検出結果に基づいて、前記ダイポールアンテナのマッチング状態からの共振周波数のずれを補正する整合手段とを具備したことを特徴とする請求項４記載の放送受信装置。
【請求項９】
前記ダイポールアンテナは、モバイル放送の受信に対応するように設定されることを特徴とする請求項１乃至８いずれかに記載の放送受信装置。
【発明の詳細な説明】
【技術分野】
【０００１】
この発明は、例えば地上波デジタル放送を受信する携帯用の放送受信端末等に使用して好適する放送受信装置に関する。
【背景技術】
【０００２】
周知のように、近年では、地上波デジタル放送が実用化されている。この地上波デジタル放送では、携帯型の放送受信端末のような移動体を主なサービス対象とした低データレート放送、いわゆるモバイル放送（１セグメント放送）も行なわれる。
【０００３】
ところで、地上波デジタル放送では、その放送周波数が携帯電話の周波数に比べて低く波長が長くなっている。このため、モバイル放送を受信する放送受信端末には、波長の長い電波を移動しながら効率的に受信するための対策が必要になる。
【０００４】
特許文献１及び２には、給電放射電極のアンテナ動作に励起されて実装基板のグランド部もアンテナ動作を行なうアンテナの電極構造に、複共振状態を作り出すための無給電放射電極を設けることにより、小型化と広帯域化とを図る構成が開示されている。
【０００５】
しかしながら、これらの特許文献１及び２は、いずれも携帯電話を対象としているものであって、携帯電話よりも低い周波数のモバイル放送の受信に特に適するように対策を施すことについては、何らの記載もなされていないものである。
【特許文献１】特開２００２−２９９９３３号公報
【特許文献２】米国特許第６６１４４０１号明細書
【発明の開示】
【発明が解決しようとする課題】
【０００６】
そこで、この発明は上記事情を考慮してなされたもので、小型化を損なうことなく、低い周波数においても高い受信性能を維持することが可能な放送受信装置を提供することを目的とする。
【課題を解決するための手段】
【０００７】
この発明に係る放送受信装置は、筐体と；筐体内にループ状に配置される第１のアンテナエレメントと、筐体内で、電流の流れる向きが第１のアンテナエレメントと同じになるように、第１のアンテナエレメントに並設される第２のアンテナエレメントとから構成されるダイポールアンテナと；ダイポールアンテナで受信された放送信号が供給される受信回路とを備えるようにしたものである。
【発明の効果】
【０００８】
上記した発明によれば、筐体内にループ状に配置される第１のアンテナエレメントと、筐体内で、電流の流れる向きが第１のアンテナエレメントと同じになるように、第１のアンテナエレメントに並設される第２のアンテナエレメントとから構成されるダイポールアンテナを備えるようにしたので、小型化を損なうことなく、低い周波数においても高い受信性能を維持することが可能となる。
【発明を実施するための最良の形態】
【０００９】
以下、この発明の第１の実施の形態について図面を参照して詳細に説明する。図１は、この第１の実施の形態で説明する放送受信端末１１の外観を示している。この放送受信端末１１は、携帯可能な薄型箱状の筐体１２を有している。
【００１０】
そして、この放送受信端末１１の筐体１２には、その一方の平面部１２ａに表示部１３と操作部１４とが設置され、一側面１２ｂにヘッドホン等を接続するための音声出力用のコネクタ１５が設置されている。
【００１１】
ここで、上記放送受信端末１１は、図２に示すように、筐体１２に内蔵されたダイポールアンテナ１６で放送信号を受信して、受信回路１７に供給することにより、選局及び復調処理等を行なうようにしている。
【００１２】
この場合、ダイポールアンテナ１６を構成する第１のアンテナエレメント１６ａは、その一端が受信回路１７に接続され、他端が筐体１２の内壁に沿ってループを形成するように配置されている。
【００１３】
また、上記ダイポールアンテナ１６を構成する第２のアンテナエレメント１６ｂは、その一端が受信回路１７に接続され、他端が筐体１２の内壁に沿って、上記第１のアンテナエレメント１６ａと逆向きにループを形成するようにして、第１のアンテナエレメントに並設されている。
【００１４】
このように、ダイポールアンテナ１６を構成する第１及び第２のアンテナエレメント１６ａ，１６ｂを、筐体１２の内壁に沿ってループ状に配置することにより、小型化を損なうことなく、アンテナ長を長くとることが可能となり、低い周波数に十分に対応することができるようになる。
【００１５】
また、第１及び第２のアンテナエレメント１６ａ，１６ｂは、互いに逆向きにループを形成するように並設されている。このため、第１及び第２のアンテナエレメント１６ａ，１６ｂの並設している部分において、流れる電流が矢印aで示すように同方向になり、互いに強め合うように作用するので、受信性能を高めることができる。
【００１６】
次に、この発明の第２の実施の形態について説明する。図３及び図４は、この第２の実施の形態で説明する放送受信端末１８の外観を示している。この放送受信端末１８は、薄型箱状の２つの筐体１９，２０をヒンジ機構２１により回動可能に連結している。
【００１７】
この場合、放送受信端末１８は、筐体１９に対して筐体２０を、ヒンジ機構２１によりＹ軸を中心に回動させることによって、図３に示すように互いに重なり合う折り畳み位置と、図４に示す展開位置とをとることができる。
【００１８】
また、筐体１９には、折り畳み位置で筐体２０と対向する面１９ａに表示部２２が設置されている。さらに、筐体２０には、折り畳み位置で筐体１９と対向する面２０ａに操作部２３が設置されている。なお、筐体２０の一側面２０ｂには、ヘッドホン等を接続するための音声出力用のコネクタ２４も設置されている。
【００１９】
ここで、上記放送受信端末１８は、図５に示すように、一方の筐体１９に内蔵されたダイポールアンテナ２５で放送信号を受信して、受信回路２６に供給することにより、選局及び復調処理等を行なうようにしている。
【００２０】
この場合、ダイポールアンテナ２５を構成する第１のアンテナエレメント２５ａは、その一端が受信回路２６に接続され、他端が筐体１９の内壁に沿ってループを形成するように配置されている。
【００２１】
また、上記ダイポールアンテナ２５を構成する第２のアンテナエレメント２５ｂは、その一端が受信回路２６に接続され、他端が筐体１９の内壁に沿って、上記第１のアンテナエレメント２５ａと逆向きにループを形成するようにして、第１のアンテナエレメントに並設されている。
【００２２】
このように、ダイポールアンテナ２５を構成する第１及び第２のアンテナエレメント２５ａ，２５ｂを、筐体１９の内壁に沿ってループ状に配置することにより、小型化を損なうことなく、アンテナ長を長くとることが可能となり、低い周波数に十分に対応することができるようになる。
【００２３】
また、第１及び第２のアンテナエレメント２５ａ，２５ｂは、互いに逆向きにループを形成するように並設されている。このため、第１及び第２のアンテナエレメント２５ａ，２５ｂの並設している部分において、流れる電流が矢印ｂで示すように同方向になり、互いに強め合うように作用するので、受信性能を高めることができる。
【００２４】
なお、ダイポールアンテナ２５及び受信回路２６は、筐体２０に設置するようにしても良いことはもちろんである。
【００２５】
図６は、この発明の第３の実施の形態を示している。図６において、図５と同一部分には同一符号を付して説明すると、筐体１９に内蔵された受信回路２６から延出される第１のアンテナエレメント２５ａは、筐体２０の内壁に沿ってループを形成するように配置されている。なお、受信回路２６から延出される第２のアンテナエレメント２５ｂは、筐体１９の内壁に沿ってループを形成するように配置されている。
【００２６】
また、図４に示した展開位置から、筐体２０をＸ軸中心に１８０°回動させることにより、図１１に示すように、筐体１９の表示部２２と筐体２０の操作部２３（図１１では見えない）とを、互いに反対方向に向かせることができる。そして、この状態から、２つの筐体１９，２０を折り畳むこともできる。
【００２７】
ここにおいて、２つの筐体１９，２０をヒンジ機構２１により可動可能に連結する場合、ヒンジ機構２１の軸数を増加させることによって、複数の方向への可動が可能となる。例えば、図４に示す筐体１９に対して筐体２０をＹ軸中心に１８０°回動させた展開位置から、図９に示すように、筐体２０をＸ軸中心に９０°回動させ、さらに、図１０に示すように、筐体２０をＺ軸中心に９０°回動させることも可能である。
【００２８】
さらに、図４に示した展開位置から、図１２に示すように、筐体２０をその厚み分だけＺ軸方向にスライドさせ、その位置からＺ軸中心に１８０°回動させる。これにより、筐体１９，２０を、筐体１９の表示部２２が設置されている面１９ａと反対側の面と、筐体２０の操作部２３が設置されている面２０ａとが対向するように重ね合わせることができる。
【００２９】
ここで、図９乃至図１２に示したように、筐体１９，２０が種々の可動形態をとるように構成されている場合、折り畳んだ状態で、第１及び第２のアンテナエレメント２５ａ，２５ｂが互いに逆向きのループで並設されず、同じ向きのループで並設されてしまうこともある。
【００３０】
このような場合、第１及び第２のアンテナエレメント２５ａ，２５ｂの並設している部分において、流れる電流が同方向になり互いに強め合うようになるという効果を得ることができなくなる。
【００３１】
そこで、第１及び第２のアンテナエレメント２５ａ，２５ｂが互いに同じ向きのループで並設されてしまうようには、折り畳むことができない構造にしたり、筐体１９，２０の側面にマークを付して、互いのマークが一致するように折り畳むことをユーザに奨励すること等が考えられる。
【００３２】
このように、ダイポールアンテナ２５を構成する第１及び第２のアンテナエレメント２５ａ，２５ｂを、回動可能に連結された２つの筐体２０，１９内にそれぞれループ状に配置することにより、各筐体１９，２０を薄型化することができる。
【００３３】
また、２つの筐体１９，２０を折り畳んだ状態で、第１及び第２のアンテナエレメント２５ａ，２５ｂが、互いに逆向きにループを形成して並設されるようにしている。このため、第１及び第２のアンテナエレメント２５ａ，２５ｂの並設している部分において、流れる電流が同方向になり、互いに強め合うように作用するので、受信性能を高めることができる。
【００３４】
なお、ダイポールアンテナ２５としては、その第１及び第２のアンテナエレメント２５ａ，２５ｂの長さを、受信信号の波長λの１／４に設定することが最も有利な利得を得ることができる。
【００３５】
ところが、図７に示すように、ダイポールアンテナ２５と受信回路２６との間に、コイル等でなる整合回路２７を挿入することにより、第１及び第２のアンテナエレメント２５ａ，２５ｂの長さをλ／４よりも短くしても、全長がλ／２のダイポールアンテナと等価な性能を持たせることが可能となる。なお、このことは、第１及び第２の実施の形態でも同様である。
【００３６】
また、ダイポールアンテナ２５を構成する第１及び第２のアンテナエレメント２５ａ，２５ｂを、回動可能に連結された２つの筐体２０，１９内にそれぞれ配置している。このため、筐体１９，２０の開角を変化させることにより、Ｖ字型のダイポールアンテナ２５を形成することができる。
【００３７】
このＶ字型のダイポールアンテナ２５においては、Ｖ字の開放端方向の指向性が強まることが知られている。このため、筐体１９，２０の開角を調整して、Ｖ字の開放端を電波の到来方向に向けることにより、より一層高い受信性能を得ることが可能となる。
【００３８】
なお、ダイポールアンテナ２５としては、通常、図６に示すように、筐体１９，２０の開角を１８０°にした場合、つまり、第１及び第２のアンテナエレメント２５ａ，２５ｂを一直線にした状態で、マッチングがとられるように設定されている。
【００３９】
このため、筐体１９，２０の開角を変化させてＶ字型のダイポールアンテナ２５を形成した場合には、開角の変化により生じた共振周波数のずれを補正することにより、受信性能を向上させることが可能となる。
【００４０】
図８は、Ｖ字型のダイポールアンテナ２５を形成したことにより生じた共振周波数のずれを補正する手段の一例を示している。すなわち、ダイポールアンテナ２５で受信した放送信号は、ダイポールアンテナ２５の開角を検出する角度検出器２８の検出結果に基づいて制御される整合回路２９により共振周波数のずれが補正されて、受信回路２６に供給される。
【００４１】
この整合回路２９は、例えば直列に接続された可変コイルによって構成され、ダイポールアンテナ２５の開角に応じて可変コイルのインダクタンスを変えることにより、共振周波数のずれを補正することができる。
【００４２】
具体的に言えば、第１及び第２のアンテナエレメント２５ａ，２５ｂを直線状に配置した状態でマッチングをとった場合、その位置から第１及び第２のアンテナエレメント２５ａ，２５ｂの開角を小さくしていくにしたがって共振周波数が高くなる。
【００４３】
このため、整合回路２９では、第１及び第２のアンテナエレメント２５ａ，２５ｂの開角が小さくなるに連れて、可変コイルのインダクタンスを増加させることにより、共振周波数のずれを補正することが可能となる。
【００４４】
また、上記角度検出器２８としては、例えば筐体１９，２０の開角を０°〜１８０°の範囲で段階的に変えられるようにしておき、現在どの段階に設置されているかを検出する手法や、筐体１９，２０の開角に応じて抵抗値の変わるスライド抵抗等を備え、その抵抗値を検出する手法等が考えられる。
【００４５】
なお、図７に示した整合回路２７と図８に示した整合回路２９とは、共用することも可能である。
【００４６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４７】
【図１】この発明の第１の実施の形態を示すもので、放送受信端末の外観を説明するために示す斜視図。
【図２】同第１の実施の形態における放送受信端末のダイポールアンテナの配置を説明するために示す図。
【図３】この発明の第２の実施の形態を示すもので、放送受信端末の折り畳んだ外観を説明するために示す斜視図。
【図４】同第２の実施の形態における放送受信端末の展開した外観を説明するために示す斜視図。
【図５】同第２の実施の形態における放送受信端末のダイポールアンテナの配置を説明するために示す図。
【図６】この発明の第３の実施の形態を示すもので、放送受信端末のダイポールアンテナの配置を説明するために示す図。
【図７】同第３の実施の形態における放送受信端末のアンテナ長を整合回路を用いて短縮することを説明するために示すブロック構成図。
【図８】同第３の実施の形態における放送受信端末の開角に伴なう共振周波数のずれを整合回路を用いて補正することを説明するために示すブロック構成図。
【図９】同第３の実施の形態における放送受信端末の可動形態の一例を説明するために示す斜視図。
【図１０】同第３の実施の形態における放送受信端末の可動形態の他の例を説明するために示す斜視図。
【図１１】同第３の実施の形態における放送受信端末の可動形態の他の例を説明するために示す斜視図。
【図１２】同第３の実施の形態における放送受信端末の可動形態の他の例を説明するために示す斜視図。
【符号の説明】
【００４８】
１１…放送受信端末、１２…筐体、１３…表示部、１４…操作部、１５…コネクタ、１６…ダイポールアンテナ、１７…受信回路、１８…放送受信端末、１９，２０…筐体、２１…ヒンジ機構、２２…表示部、２３…操作部、２４…コネクタ、２５…ダイポールアンテナ、２６…受信回路、２７…整合回路、２８…角度検出器、２９…整合回路。
【図１】
2005347882.tif 000003
【図２】
2005347882.tif 000004
【図３】
2005347882.tif 000005
【図４】
2005347882.tif 000006
【図５】
2005347882.tif 000007
【図６】
2005347882.tif 000008
【図７】
2005347882.tif 000009
【図８】
2005347882.tif 000010
【図９】
2005347882.tif 000011
【図１０】
2005347882.tif 000012
【図１１】
2005347882.tif 000013
【図１２】
2005347882.tif 000014